(57)【要約】【課題】  携帯電話端末機用のコンテンツを極めて容易に検索する。【解決手段】  情報検索システムにおける情報検索サーバは、アクセスしたウェブページのＵＲＬと当該ウェブページ内に設けられている全てのＵＲＬリンクとを抽出し、ウェブページを記述しているＨＴＭＬタグ及び／又はコンテンツを構成するファイルの拡張子に基づいてコンテンツの種別を判断する。そして、情報検索サーバは、抽出したＵＲＬによって示されるウェブページ内からコンテンツの特徴を示すキーワードを抽出し、抽出したＵＲＬと当該キーワードとを関連付け、キーワードをインデックス化して検索インデックスを作成し、データベースとして記憶する。情報検索サーバは、作成した検索インデックスに基づいて、検索結果を示す情報を携帯電話端末機に対して送信する。【選択図】  図４
2006048141.tif 000002
【特許請求の範囲】
【請求項１】
ウェブサイトを検索する情報検索システムであって、
携帯電話端末機と、
上記携帯電話端末機からの要求に応じて、当該携帯電話端末機によってアクセス可能なウェブサイトの検索を行う情報検索サーバと、
上記情報検索サーバの検索対象としてのウェブサイトを開設している複数のウェブサーバとを備え、
上記情報検索サーバは、上記ウェブサーバが開設しているウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断し、判断したコンテンツの種別に基づいて、検索結果を示す情報を上記携帯電話端末機に対して送信すること
を特徴とする情報検索システム。
【請求項２】
上記情報検索サーバは、上記ウェブサーバが開設しているウェブサイトによって提供されるウェブページのアドレスと当該ウェブページ内に設けられている全てのアドレスリンクとを抽出すること
を特徴とする請求項１記載の情報検索システム。
【請求項３】
上記情報検索サーバは、抽出したアドレスによって示されるウェブページ内に記述されているキーワードであって上記コンテンツの特徴を示すキーワードを抽出し、抽出したアドレスと当該キーワードとを関連付けた検索インデックスを作成すること
を特徴とする請求項２記載の情報検索システム。
【請求項４】
上記情報検索サーバは、少なくとも検索するコンテンツの種別を含む検索態様と検索キーワードとを検索条件として入力させるとともに検索結果の閲覧を行うための検索サイトを上記携帯電話端末機の表示画面に表示させること
を特徴とする請求項１記載の情報検索システム。
【請求項５】
上記情報検索サーバは、検索したコンテンツのファイル名とこのコンテンツの特徴を示すキーワードとを対応付けた検索結果一覧リストを、検索結果として上記携帯電話端末機の上記表示画面に表示させること
を特徴とする請求項４記載の情報検索システム。
【請求項６】
上記検索結果一覧リストは、各項目が選択可能に構成され、
上記情報検索サーバは、上記検索結果一覧リストの中から所望の項目が選択されるのに応じて、選択された項目によって示されるコンテンツのサンプルと、当該コンテンツが実際に掲載又はリンクされている上記ウェブサーバによって提供されるウェブページのアドレスとを、上記携帯電話端末機の上記表示画面に表示させること
を特徴とする請求項５記載の情報検索システム。
【請求項７】
上記携帯電話端末機は、上記表示画面に表示されたアドレスが選択されるのに応じて、コンテンツが実際に掲載又はリンクされている上記ウェブサーバによって提供されるウェブページにアクセスすること
を特徴とする請求項６記載の情報検索システム。
【請求項８】
上記コンテンツは、上記携帯電話端末機によって視聴可能な音声データ、画像データ、動画像データ、及び／又は当該携帯電話端末機によって実行可能なアプリケーションプログラムであること
を特徴とする請求項１記載の情報検索システム。
【請求項９】
携帯電話端末機からの要求に応じて、当該携帯電話端末機によってアクセス可能なウェブサイトを検索する情報検索サーバであって、
検索対象としてのウェブサイトを開設している複数のウェブサーバにアクセスするアクセス手段と、
上記アクセス手段を介してアクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断するコンテンツ種別判断手段と、
上記コンテンツ種別判断手段によって判断したコンテンツの種別に基づいて、検索結果を示す情報を上記携帯電話端末機に対して送信する送信手段とを備えること
を特徴とする情報検索サーバ。
【請求項１０】
上記アクセス手段を介してアクセスした上記ウェブサイトによって提供されるウェブページのアドレスと当該ウェブページ内に設けられている全てのアドレスリンクとを抽出するアドレス抽出手段を備えること
を特徴とする請求項９記載の情報検索サーバ。
【請求項１１】
上記アドレス抽出手段によって抽出したアドレスによって示されるウェブページ内に記述されているキーワードであって上記コンテンツの特徴を示すキーワードを抽出するキーワード抽出手段と、
上記アドレス抽出手段によって抽出したアドレスと上記キーワード抽出手段によって抽出した上記キーワードとを関連付けた検索インデックスを作成するインデックス作成手段とを備えること
を特徴とする請求項１０記載の情報検索サーバ。
【請求項１２】
携帯電話端末機からの要求に応じて、当該携帯電話端末機によってアクセス可能なウェブサイトを検索する情報検索方法であって、
検索対象としてのウェブサイトを開設している複数のウェブサーバにアクセスする工程と、
アクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断する工程と、
判断したコンテンツの種別に基づいて、検索結果を示す情報を上記携帯電話端末機に対して送信する工程とを備えること
を特徴とする情報検索方法。
【請求項１３】
携帯電話端末機からの要求に応じて、当該携帯電話端末機によってアクセス可能なウェブサイトを検索するコンピュータ実行可能な情報検索プログラムであって、
検索対象としてのウェブサイトを開設している複数のウェブサーバにアクセスする処理と、
アクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断する処理と、
判断したコンテンツの種別に基づいて、検索結果を示す情報を上記携帯電話端末機に対して送信する処理とを備えること
を特徴とする情報検索プログラム。
【発明の詳細な説明】
【技術分野】
【０００１】
本発明は、携帯電話端末機によってアクセス可能なウェブサイトを検索する情報検索システム、情報検索サーバ、情報検索方法、及び情報検索プログラムに関する。
【背景技術】
【０００２】
近年、携帯電話端末機が著しく普及しているが、かかる普及は、通話機能のみならず、インターネットへの接続や電子メールの授受等の機能を搭載したことが大きな理由とされている。
【０００３】
携帯電話端末機は、着信用のメロディや待ち受け用の画像等をユーザが嗜好に応じてカスタマイズすることによって用いられることが多い。また、携帯電話端末機は、近年の高機能化にともない、動画像の表示やゲーム等のアプリケーションプログラムの実行を可能とするものが多数提供されている。これにともない、これら着信用のメロディ等の音声データ、待ち受け用の画像データ、再生可能な動画像データ、さらにはゲームをはじめとするアプリケーションプログラムといった様々なコンテンツを提供するウェブサイトが多数開設されており、携帯電話端末機においては、これらウェブサイトを介して、ユーザが所望のコンテンツをダウンロードすることによって利用することが可能となっている。
【０００４】
また、近年では、コンテンツを提供するウェブサイトの増加による検索の手間を低減するために、所望のコンテンツを検索するためのウェブサイトも提供されている。かかる検索の手法としては、例えば特許文献１及び特許文献２に記載された技術が提案されている。
【０００５】
【特許文献１】特開２００３−９９０７１号公報
【特許文献２】特開２００２−１２３５３９号公報
【０００６】
具体的には、特許文献１には、複数の楽曲が登録された音楽サーバと、この音楽サーバと双方向通信可能に接続され受信情報を表示する表示手段を有するとともに音符情報が入力可能な携帯電話等の通信装置とを備えた楽曲検索システムが開示されている。特に、この楽曲検索システムにおいて、通信装置は、入力された所望の音符情報を音符データに変換しこのデータを音楽サーバに対して送信する音符データ送信手段を有し、音楽サーバは、通信装置から送信された音符データに基づいて登録楽曲中から該当楽曲を照合する照合手段と、通信装置に対して照合結果を送信する照合結果送信手段とを有し、照合結果送信手段によって送信された照合結果が通信装置の表示手段に表示されるものである。これにより、この楽曲検索システムにおいては、曲名は分からなくても記憶している曲の旋律に基づいて、着信メロディデータの検索 、取得、及び音楽コンテンツの購入等を行うことができるとしている。
【０００７】
また、特許文献２には、インターネットを介してコンテンツサーバに接続された端末を用いてゲームを実行しながら情報を検索する情報検索方法が開示されている。特に、この情報検索方法においては、コンテンツサーバからゲームページデータを端末に対して送信するのに応じて、端末がそのゲームページデータにしたがってゲームを実行する。そして、この情報検索方法においては、コンテンツサーバから得られたゲーム結果をキーワードとして若しくはゲーム結果に基づいて得られたキーワードを使用して、検索プログラムを有する検索サイトにアクセスして目的のサイトを検索し、その検索結果のページデータを端末に対して送信するものである。これにより、この情報検索方法においては、ユーザが直接欲する情報を得たいがためにのみ検索エンジンを利用するのではなく、ゲームを楽しみながらユーザにとって相応しいと思われる情報を取得することができるとしている。
【発明の開示】
【発明が解決しようとする課題】
【０００８】
しかしながら、上述した特許文献１及び特許文献２に記載された技術は、決められたサーバに登録されたコンテンツのみを検索範囲としていることから、当該サーバによって提供されるウェブサイトの存在を知らない場合や、同様のコンテンツを提供する複数のウェブサイトから所望のコンテンツを検索する場合には適用することができないものであった。
【０００９】
また、携帯電話端末機においては、パーソナルコンピュータによる通常のウェブサイト検索手法を踏襲し、所望のコンテンツを検索するために、所定の検索サイトを用いたキーワード検索等により、複数のウェブサイトを検索対象とした検索を行うこともできる。しかしながら、かかる手法による検索結果は、該当するウェブサイトにおけるコンテンツに対するリンクが設けられたウェブページや、当該ウェブサイトのトップページといったように、ウェブページの一覧リストを示す情報にすぎなかった。したがって、従来の検索手法は、検索結果として表示画面に表示された一覧リストの中からユーザが任意の項目を選択し、アクセスしたウェブページの中から所望のコンテンツを当該ユーザが自発的に探索する必要があり、使い勝手が悪い感が否めないものであった。
【００１０】
本発明は、このような実情に鑑みてなされたものであり、携帯電話端末機用のコンテンツを極めて容易に検索することができる情報検索システム、情報検索サーバ、情報検索方法、及び情報検索プログラムを提供することを目的とする。
【課題を解決するための手段】
【００１１】
上述した目的を達成する本発明にかかる情報検索システムは、ウェブサイトを検索する情報検索システムであって、携帯電話端末機と、上記携帯電話端末機からの要求に応じて、当該携帯電話端末機によってアクセス可能なウェブサイトの検索を行う情報検索サーバと、上記情報検索サーバの検索対象としてのウェブサイトを開設している複数のウェブサーバとを備え、上記情報検索サーバは、上記ウェブサーバが開設しているウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断し、判断したコンテンツの種別に基づいて、検索結果を示す情報を上記携帯電話端末機に対して送信することを特徴としている。
【００１２】
このような本発明にかかる情報検索システムにおいては、携帯電話端末機によってダウンロード可能なコンテンツが掲載又はリンクされているウェブページを記述している言語の記述子及び／又はコンテンツを構成するファイルの拡張子に基づいて、当該コンテンツの種別を判断し、判断したコンテンツの種別に基づいて検索結果を示す情報を作成することから、コンテンツが掲載又はリンクされているウェブページではなく、コンテンツそのものが格納されているウェブサーバにおける場所（アドレス）を特定することができる。したがって、本発明にかかる情報検索システムにおいては、コンテンツが掲載又はリンクされているウェブページのみならず、コンテンツそのものの場所を示す情報を、検索結果として作成することができる。
【００１３】
具体的には、上記情報検索サーバは、上記ウェブサーバが開設しているウェブサイトによって提供されるウェブページのアドレスと当該ウェブページ内に設けられている全てのアドレスリンクとを抽出し、コンテンツの種別を判断すると、抽出したアドレスによって示されるウェブページ内に記述されているキーワードであって上記コンテンツの特徴を示すキーワードを抽出し、抽出したアドレスと当該キーワードとを関連付けた検索インデックスを作成する。
【００１４】
ここで、上記情報検索サーバは、少なくとも検索するコンテンツの種別を含む検索態様と検索キーワードとを検索条件として入力させるとともに検索結果の閲覧を行うための検索サイトを開設しており、この検索サイトを上記携帯電話端末機の表示画面に表示させる。そして、上記情報検索サーバは、検索したコンテンツのファイル名とこのコンテンツの特徴を示すキーワードとを対応付けた検索結果一覧リストを、検索結果として上記携帯電話端末機の上記表示画面に表示させる。
【００１５】
なお、上記検索結果一覧リストは、各項目が選択可能に構成される。そして、上記情報検索サーバは、上記検索結果一覧リストの中から所望の項目が選択されるのに応じて、選択された項目によって示されるコンテンツのサンプルと、当該コンテンツが実際に掲載又はリンクされている上記ウェブサーバによって提供されるウェブページのアドレスとを、上記携帯電話端末機の上記表示画面に表示させる。
【００１６】
したがって、上記携帯電話端末機は、上記表示画面に表示されたアドレスが選択されるのに応じて、コンテンツが実際に掲載又はリンクされている上記ウェブサーバによって提供されるウェブページにアクセスすることができる。
【００１７】
なお、上記コンテンツとしては、上記携帯電話端末機によって視聴可能な音声データ、画像データ、動画像データ、及び／又は当該携帯電話端末機によって実行可能なアプリケーションプログラムを適用することができる。
【００１８】
また、上述した目的を達成する本発明にかかる情報検索サーバは、携帯電話端末機からの要求に応じて、当該携帯電話端末機によってアクセス可能なウェブサイトを検索する情報検索サーバであって、検索対象としてのウェブサイトを開設している複数のウェブサーバにアクセスするアクセス手段と、上記アクセス手段を介してアクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断するコンテンツ種別判断手段と、上記コンテンツ種別判断手段によって判断したコンテンツの種別に基づいて、検索結果を示す情報を上記携帯電話端末機に対して送信する送信手段とを備えることを特徴としている。
【００１９】
このような本発明にかかる情報検索サーバにおいては、携帯電話端末機によってダウンロード可能なコンテンツが掲載又はリンクされているウェブページを記述している言語の記述子及び／又はコンテンツを構成するファイルの拡張子に基づいて、当該コンテンツの種別を判断し、判断したコンテンツの種別に基づいて検索結果を示す情報を作成する。これにより、本発明にかかる情報検索サーバにおいては、コンテンツが掲載又はリンクされているウェブページではなく、コンテンツそのものが格納されているウェブサーバにおける場所（アドレス）を特定することができる。したがって、本発明にかかる情報検索サーバにおいては、コンテンツが掲載又はリンクされているウェブページのみならず、コンテンツそのものの場所を示す情報を、検索結果として作成することができる。
【００２０】
具体的には、本発明にかかる情報検索サーバは、上記アクセス手段を介してアクセスした上記ウェブサイトによって提供されるウェブページのアドレスと当該ウェブページ内に設けられている全てのアドレスリンクとを抽出するアドレス抽出手段を備える。また、本発明にかかる情報検索サーバは、上記コンテンツ種別判断手段によってコンテンツの種別を判断すると、上記アドレス抽出手段によって抽出したアドレスによって示されるウェブページ内に記述されているキーワードであって上記コンテンツの特徴を示すキーワードを抽出するキーワード抽出手段と、上記アドレス抽出手段によって抽出したアドレスと上記キーワード抽出手段によって抽出した上記キーワードとを関連付けた検索インデックスを作成するインデックス作成手段とを備える。
【００２１】
さらに、上述した目的を達成する本発明にかかる情報検索方法は、携帯電話端末機からの要求に応じて、当該携帯電話端末機によってアクセス可能なウェブサイトを検索する情報検索方法であって、検索対象としてのウェブサイトを開設している複数のウェブサーバにアクセスする工程と、アクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断する工程と、判断したコンテンツの種別に基づいて、検索結果を示す情報を上記携帯電話端末機に対して送信する工程とを備えることを特徴としている。
【００２２】
さらにまた、上述した目的を達成する本発明にかかる情報検索プログラムは、携帯電話端末機からの要求に応じて、当該携帯電話端末機によってアクセス可能なウェブサイトを検索するコンピュータ実行可能な情報検索プログラムであって、検索対象としてのウェブサイトを開設している複数のウェブサーバにアクセスする処理と、アクセスした上記ウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断する処理と、判断したコンテンツの種別に基づいて、検索結果を示す情報を上記携帯電話端末機に対して送信する処理とを備えることを特徴としている。
【００２３】
このような本発明にかかる情報検索方法及び情報検索プログラムにおいては、携帯電話端末機によってダウンロード可能なコンテンツが掲載又はリンクされているウェブページを記述している言語の記述子及び／又はコンテンツを構成するファイルの拡張子に基づいて、当該コンテンツの種別を判断し、判断したコンテンツの種別に基づいて検索結果を示す情報を作成する。これにより、本発明にかかる情報検索方法及び情報検索プログラムにおいては、コンテンツが掲載又はリンクされているウェブページではなく、コンテンツそのものが格納されているウェブサーバにおける場所（アドレス）を特定することができ、コンテンツが掲載又はリンクされているウェブページのみならず、コンテンツそのものの場所を示す情報を、検索結果として作成することができる。
【発明の効果】
【００２４】
本発明においては、コンテンツが掲載又はリンクされているウェブページではなく、コンテンツそのものが格納されている場所を特定することができることから、検索結果として、コンテンツが掲載又はリンクされているウェブページの一覧リストのみならず、コンテンツそのものの一覧リストを携帯電話端末機の表示画面に表示することができる。したがって、本発明においては、ユーザの負担を強いることなく、所望のコンテンツを極めて容易に検索することができる。
【発明を実施するための最良の形態】
【００２５】
以下、本発明を適用した具体的な実施の形態について図面を参照しながら詳細に説明する。
【００２６】
この実施の形態は、携帯電話端末機によってアクセス可能なウェブサイトを検索する情報検索システムである。特に、この情報検索システムは、携帯電話端末機の表示画面に表示されるウェブページの検索のみならず、携帯電話端末機用のコンテンツを直接検索することができるものである。
【００２７】
情報検索システムは、図１に示すように、ユーザが所持する携帯電話端末機１０と、この携帯電話端末機１０からの要求に応じてウェブサイトの検索を行う情報検索サーバ２０と、この情報検索サーバ２０の検索対象としてのウェブサイトを開設している複数のウェブサーバ３０，・・・とを備える。
【００２８】
携帯電話端末機１０は、インターネットに接続可能ないわゆるブラウザフォンとして構成され、携帯電話網を介して図示しないゲートウェイサーバと接続される。ゲートウェイサーバは、インターネット網を介して情報検索サーバ２０やウェブサーバ３０，・・・と接続される。したがって、携帯電話端末機１０は、このようなゲートウェイサーバとの間で所定のプロトコルにしたがって通信を行うことにより、情報検索サーバ２０やウェブサーバ３０，・・・と接続可能とされる。携帯電話端末機１０は、後に詳述するように、情報検索サーバ２０によって提供されるコンテンツの検索を行うための所定の検索サイトにアクセスすることにより、複数のウェブサーバ３０，・・・に格納されているコンテンツを検索することができる。
【００２９】
情報検索サーバ２０は、コンピュータ実行可能な所定の情報検索プログラムを実行することにより、複数のウェブサーバ３０，・・・が開設しているウェブサイトを巡回してその情報を収集するいわゆるロボット型検索を行うものとして構成される。具体的には、情報検索サーバ２０は、携帯電話端末機１０によってアクセス可能な検索サイトを開設し、当該携帯電話端末機１０からのアクセスに応じて、当該検索サイトのウェブページを当該携帯電話端末機１０の表示画面に表示させる。そして、情報検索サーバ２０は、携帯電話端末機１０の表示画面に表示されたウェブページを介して入力された情報に基づいて、複数のウェブサーバ３０，・・・が開設しているウェブサイトにアクセスし、後に詳述するが、当該ウェブサイトによって提供される、携帯電話端末機１０によって視聴可能な音声データ、画像データ、動画像データ、及び／又は当該携帯電話端末機１０によって実行可能なゲームアプリケーションプログラムといった、コンテンツの種別を判断する。また、情報検索サーバ２０は、コンテンツの特徴を示すキーワードを抽出し、コンテンツが掲載又はリンクされているアドレス（ＵＲＬ（Uniform Resource Locator））と当該キーワードとを関連付けた検索インデックスを作成する。
【００３０】
ウェブサーバ３０，・・・は、携帯電話端末機１０によってダウンロード可能な各種コンテンツの紹介や当該コンテンツに対するリンク等を記述したウェブサイトを開設する。例えば、ウェブサーバ３０，・・・は、携帯電話端末機１０によって利用可能な各種コンテンツとして、携帯電話端末機１０の着信用のメロディ等の音声データ、携帯電話端末機１０の待ち受け用の画像データ、携帯電話端末機１０によって再生可能な動画像データ、及び／又は携帯電話端末機１０によって実行可能なゲームをはじめとするアプリケーションプログラムを格納する。そして、ウェブサーバ３０，・・・は、これらコンテンツの紹介や当該コンテンツに対するリンク等を記述したウェブサイトにアクセスしてきた携帯電話端末機１０からの要求に応じて、これらコンテンツをダウンロードする。なお、ウェブサーバ３０，・・・は、情報検索サーバ２０によるロボット型検索の対象として設けられるものであり、情報検索サーバ２０による巡回に応じて、ウェブサイトの情報を当該情報検索サーバ２０に対して提供する。
【００３１】
このような携帯電話端末機１０、情報検索サーバ２０、及びウェブサーバ３０，・・・から構成される情報検索システムは、ウェブサーバ３０，・・・に開設されている携帯電話端末機１０によってアクセス可能なウェブサイトを情報検索サーバ２０によって検索する。
【００３２】
情報検索サーバ２０は、図２に示すように、少なくとも、各部を統括的に制御する制御部２１と、各種プログラムを含む各種情報を格納する読み取り専用のＲＯＭ（Read Only Memory）２２と、ワークエリアとして機能するＲＡＭ（Random Access Memory）２３と、各種情報を読み出し及び／又は書き込み可能に記憶する記憶部２４と、携帯電話端末機１０やウェブサーバ３０，・・・との間で通信を行う通信部２５とを有する。
【００３３】
制御部２１は、例えばＣＰＵ（Central Processing Unit）等から構成され、ＲＯＭ２２に格納されている情報検索プログラムをはじめとする各種プログラムを実行し、各部を統括的に制御する。
【００３４】
ＲＯＭ２２は、情報検索プログラムをはじめとする各種情報を格納している。このＲＯＭ２２に格納されている情報は、制御部２１の制御のもとに読み出される。
【００３５】
ＲＡＭ２３は、制御部２１が各種プログラムを実行する際のワークエリアとして機能し、制御部２１の制御のもとに、各種情報を一時記憶するとともに、記憶している各種情報を読み出す。
【００３６】
記憶部２４は、例えば、ハードディスクや、これらハードディスクを複数台用いていわゆるＲＡＩＤ（Redundant Arrays of Independent (Inexpensive) Disks）構成とした装置といった所定の記憶装置から構成される。記憶部２４は、制御部２１の制御のもとに、各種画像データや音声データをはじめとする各種情報を記憶するとともに、記憶している各種情報を読み出す。
【００３７】
通信部２５は、制御部２１の制御のもとに、図示しないゲートウェイサーバを介して携帯電話端末機１０との間で通信を行うとともに、インターネット網に接続されたウェブサーバ３０，・・・との間で通信を行う。具体的には、通信部２５は、携帯電話端末機１０からのアクセスに応じて、検索サイトのウェブページデータを当該携帯電話端末機１０に対して送信するとともに、当該携帯電話端末機１０から送信された情報を受信する。また、通信部２５は、ウェブサーバ３０，・・・が開設するウェブサイトを巡回することによって当該ウェブサーバ３０，・・・との間で情報の授受を行う。そして、通信部２５は、携帯電話端末機１０に対して検索結果を示すデータを送信する。すなわち、通信部２５は、検索対象としてのウェブサイトを開設している複数のウェブサーバ３０，・・・にアクセスするアクセス手段として機能するとともに、コンテンツの種別に基づいて検索結果を示す情報を携帯電話端末機１０に対して送信する送信手段として機能する。
【００３８】
なお、情報検索サーバ２０は、これら各部の他に、例えば当該情報検索サーバ２０を管理する管理者が操作を行うための操作部や各種情報を表示する表示部を備えてもよい。
【００３９】
さて、このような情報検索サーバ２０は、制御部２１の制御のもとに、所定の情報検索プログラムを実行し、ウェブサーバ３０，・・・に開設されている携帯電話端末機１０によってアクセス可能なウェブサイトによって提供されるウェブページの検索のみならず、携帯電話端末機用のコンテンツを直接検索する。
【００４０】
具体的には、情報検索サーバ２０は、情報検索プログラムを実行することにより、制御部２１の機能的には図３に示すように構成される。すなわち、情報検索サーバ２０は、ウェブサーバ３０，・・・が開設しているウェブサイトによって提供されるウェブページのＵＲＬと当該ウェブページ内に設けられている全てのＵＲＬリンクとを抽出するアドレス抽出手段であるＵＲＬ抽出部５１と、当該ウェブサイトによって提供されるコンテンツの種別を判断するコンテンツ種別判断手段であるコンテンツ種別判断部５２と、コンテンツの特徴を示すキーワードを抽出するキーワード抽出手段であるキーワード抽出部５３と、ＵＲＬとコンテンツの特徴を示すキーワードとを関連付けた検索インデックスを作成するインデックス作成手段であるインデックス作成部５４とを有する。
【００４１】
このような情報検索サーバ２０は、図４に示す一連の工程を経ることにより、携帯電話端末機１０のユーザが所望するウェブページやコンテンツを検索する。
【００４２】
まず、情報検索サーバ２０は、同図に示すように、ステップＳ１において、ロボットによってウェブサーバ３０，・・・が開設しているウェブサイトによって提供されるウェブページを巡回し、ステップＳ２において、あるウェブサイトによって提供される任意のウェブページにアクセスする。なお、情報検索サーバ２０は、ロボット型検索の手法として、いわゆるクロウラーやスパイダーといったロボットによる既存のものを用いることができる。
【００４３】
そして、情報検索サーバ２０は、ステップＳ３において、アクセスしたウェブページのＵＲＬと当該ウェブページ内に設けられている全てのＵＲＬリンクとをＵＲＬ抽出部５１によって抽出する。そして、情報検索サーバ２０は、ウェブページを記述している言語の記述子であるいわゆるＨＴＭＬ（HyperText Markup Language）タグ及び／又はコンテンツを構成するファイルの拡張子に基づいて、画像データ、音声データ、動画像データ、及び／又はゲームアプリケーションプログラムといった、コンテンツの種別をコンテンツ種別判断部５２によって判断する。具体的には、情報検索サーバ２０は、ＨＴＭＬによって記述されているウェブページを参照し、ＨＴＭＬタグとして、＜ａ＞が記述されている場合には"リンク"である旨を判断し、＜ｓｒｃ＞が記述されている場合には"画像データ"をリンクではなくそのまま掲載して表示させる旨を判断し、＜ｏｂｊｅｃｔ＞が記述されている場合には"動画像データやアプリケーションプログラム"をリンクではなく再生／実行可能に掲載している旨を判断する。また、情報検索サーバ２０は、コンテンツを構成するファイルの拡張子が"ｇｉｆ"、"ｊｐｇ"、"ｊｏｅｇ"、"ｐｎｇ"等である場合には"画像データ"がリンクされている旨を判断し、"ｍｌｄ"、"ｍｍｆ"等である場合には"音声データ"がリンクされている旨を判断し、"３ｇｐ"、"ａｍｃ"等である場合には"動画像データ"がリンクされている旨を判断し、"ｊａｍ"、"ｊａｄ"、"ｋｊｘ"等である場合には"アプリケーションプログラム"がリンクされている旨を判断する。
【００４４】
情報検索サーバ２０は、このようにしてコンテンツの種別を判断するとともに当該コンテンツの場所を示すＵＲＬを抽出すると、ステップＳ４において、抽出したＵＲＬによって示されるウェブページ内に記述されているキーワードであってコンテンツの特徴を示すキーワードをキーワード抽出部５３によって抽出する。具体的には、情報検索サーバ２０は、コンテンツとして芸能人やスポーツに関する待ち受け用の画像データを検索する場合には、ｈｔｔｐ：／／＊＊＊＊／＊＊＊＊で示されるウェブページ内に"芸能人"、"スポーツ"、"待ち受け"等の語句が記述されている場合には、これらの語句をキーワードとして抽出する。情報検索サーバ２０は、このようなキーワードの抽出を検索態様に応じて行う。すなわち、情報検索サーバ２０は、ウェブページそのものを検索する場合には、そのウェブページの特徴を示すキーワードを抽出し、コンテンツとしての画像データを検索する場合には、その画像データの特徴を示すキーワードを抽出し、コンテンツとしての音声データを検索する場合には、その音声データの特徴を示すキーワードを抽出し、コンテンツとしての動画像データを検索する場合には、その動画像データの特徴を示すキーワードを抽出し、コンテンツとしてのアプリケーションプログラムを検索する場合には、そのアプリケーションプログラムの特徴を示すキーワードを抽出する。
【００４５】
そして、情報検索サーバ２０は、キーワードを抽出すると、ステップＳ３にて抽出したＵＲＬと当該キーワードとを関連付け、ステップＳ５において、キーワードをインデックス化して検索インデックスを作成し、記憶部２４等にデータベースとして記憶する。
【００４６】
情報検索サーバ２０は、このような一連の処理を、検索対象としての全てのウェブサーバ３０，・・・を巡回して行い、作成した検索インデックスに基づいて、検索結果を示す情報を、通信部２５を介して携帯電話端末機１０に対して送信する。
【００４７】
このような情報検索サーバ２０による検索を行うために、当該情報検索サーバ２０は、携帯電話端末機１０によって閲覧可能な検索サイトを開設する。携帯電話端末機１０は、この検索サイトにアクセスすることにより、例えば図５乃至図８に示すような画面を表示画面に表示する。ユーザは、この画面を介して、検索条件の入力や検索結果の閲覧を行うことができる。
【００４８】
具体的には、携帯電話端末機１０は、情報検索サーバ２０が開設する検索サイトにアクセスすると、例えば図５に示すようなウェブページが表示画面に表示される。このウェブページには、例えば、待ち受け用の画像データを検索するのか着信用の音声データを検索するのか、さらにはコンテンツそのものの検索ではなく通常のウェブページを検索するのか、といったように、検索するコンテンツの種別を含む検索態様を選択するための検索態様選択コンボボックス１０１と、検索キーワードを入力するためのキーワード入力ボックス１０２と、検索を開始するための検索開始ボタン１０３とが設けられる。
【００４９】
携帯電話端末機１０のユーザは、例えば図６に示すように、少なくとも、検索態様選択コンボボックス１０１を用いて検索態様を選択するとともに、キーワード入力ボックス１０２に対して所望のキーワードを入力することによって検索条件を指定する。なお、同図においては、"芸能人△△△△△"を撮像した待ち受け用の画像データを検索する場合について示している。
【００５０】
そして、情報検索サーバ２０は、携帯電話端末機１０のユーザによって検索開始ボタン１０３が押下されるのに応じて、先に図４に示したような一連の処理を行い、検索条件に合致したウェブページやコンテンツを検索し、例えば図７に示すように、検索したコンテンツとしての画像データのファイル名とこのコンテンツの特徴を示すキーワード（例えば"芸能人△△△△△"）とを対応付けた検索結果一覧リスト１０４からなるウェブページを、検索結果として携帯電話端末機１０の表示画面に表示させる。ここで、この検索結果一覧リスト１０４は、各項目が選択可能に構成される。携帯電話端末機１０は、この検索結果一覧リスト１０４の中から所望の項目を選択することにより、例えば図８に示すような画面に遷移し、選択された項目によって示されるコンテンツとしての画像データのサンプルをサンプル表示領域１０５に表示するとともに、そのコンテンツが実際に掲載又はリンクされているウェブページのＵＲＬをＵＲＬ表示領域１０６に表示する。携帯電話端末機１０は、この状態で戻るボタン１０７が押下されることにより、図７に示す画面へと再度遷移する。なお、サンプル表示領域１０５に表示されるコンテンツのサンプルは、ダウンロード可能なものではない。したがって、携帯電話端末機１０は、ユーザがサンプルを閲覧することによってそのコンテンツをダウンロードしようとする場合には、ＵＲＬ表示領域１０６に表示されたＵＲＬを選択することにより、コンテンツが実際に掲載又はリンクされているウェブページにアクセスし、当該ウェブページを表示画面に表示することができる。
【００５１】
このように、情報検索システムにおいては、情報検索サーバ２０により、ウェブページを記述しているＨＴＭＬタグ及び／又はコンテンツを構成するファイルの拡張子に基づいて、ウェブページに掲載又はリンクされているコンテンツの種別を判断することから、コンテンツが掲載又はリンクされているウェブページではなく、コンテンツそのものが格納されているＵＲＬを特定することができる。そして、情報検索システムにおいては、コンテンツの特徴を示すキーワードとＵＲＬとを関連付けることにより、検索結果として、コンテンツが掲載又はリンクされているウェブページの一覧リストのみならず、コンテンツそのものの一覧リストを携帯電話端末機１０の表示画面に表示することができる。したがって、情報検索システムにおいては、ユーザの負担を強いることなく、所望のコンテンツを極めて容易に検索することができる。
【００５２】
なお、本発明は、上述した実施の形態に限定されるものではない。例えば、上述した実施の形態では、携帯電話端末機１０の表示画面に表示させる検索サイトのウェブページとして、図５乃至図８に示した構成のものを用いて説明したが、本発明は、検索結果として、検索したコンテンツそのものにリンクするための情報を設けるものであれば、かかる画面構成以外のウェブページを表示させるようにしてもよい。
【００５３】
また、上述した実施の形態では、検索条件に該当するコンテンツについては全て検索結果として携帯電話端末機１０の表示画面に表示させるものとして説明したが、本発明は、例えば待ち受け用の画像データとしては適さないサイズの画像データといったように、本来の用途からは適切でないコンテンツについては、そのコンテンツのサイズ等の情報に基づいて、検索結果から除去するようにしてもよい。
【００５４】
さらに、上述した実施の形態では、コンテンツの例示として、音声データ、画像データ、動画像データ、アプリケーションプログラムを挙げて説明したが、本発明は、携帯電話端末機によってダウンロード可能なコンテンツであれば、いかなるものであっても適用することができる。
【００５５】
このように、本発明は、その趣旨を逸脱しない範囲で適宜変更が可能であることはいうまでもない。
【図面の簡単な説明】
【００５６】
【図１】本発明の実施の形態として示す情報検索システムの構成を説明する図である。
【図２】同情報検索システムにおける情報検索サーバの構成を説明するブロック図である。
【図３】同情報検索システムにおける情報検索サーバの機能的な構成を説明するブロック図である。
【図４】同情報検索システムにおける情報検索サーバによって検索を行う際の一連の工程を説明するフローチャートである。
【図５】同情報検索システムにおける携帯電話端末機の表示画面に表示される画面例を説明する図であって、情報検索サーバが開設する検索サイトにアクセスした際に表示される画面例を説明する図である。
【図６】同情報検索システムにおける携帯電話端末機の表示画面に表示される画面例を説明する図であって、検索条件を指定した様子を説明する図である。
【図７】同情報検索システムにおける携帯電話端末機の表示画面に表示される画面例を説明する図であって、検索結果を表示する画面例を説明する図である。
【図８】同情報検索システムにおける携帯電話端末機の表示画面に表示される画面例を説明する図であって、検索されたコンテンツのサンプルを表示する画面例を説明する図である。
【符号の説明】
【００５７】
１０  携帯電話端末機
２０  情報検索サーバ
２１  制御部
２２  ＲＯＭ
２３  ＲＡＭ
２４  記憶部
２５  通信部
３０，・・・  ウェブサーバ
５１  ＵＲＬ抽出部
５２  コンテンツ種別判断部
５３  キーワード抽出部
５４  インデックス作成部
１０１  検索態様選択コンボボックス
１０２  キーワード入力ボックス
１０３  検索開始ボタン
１０４  検索結果一覧リスト
１０５  サンプル表示領域
１０６  ＵＲＬ表示領域
１０７  戻るボタン
【図１】
2006048141.tif 000003
【図２】
2006048141.tif 000004
【図３】
2006048141.tif 000005
【図４】
2006048141.tif 000006
【図５】
2006048141.tif 000007
【図６】
2006048141.tif 000008
【図７】
2006048141.tif 000009
【図８】
2006048141.tif 000010